(57)【要約】【課題】思い通りの写真を撮るために、どのような交換レンズが必要かを容易に知ることができるカメラシステムを提供する。【解決手段】本発明のカメラボディは、画像データに基づく画像を表示する表示手段１２０と、前記画像データに施す効果を指定する効果指定手段と、前記指定された効果に基づいて、前記画像データに画像処理を施す画像処理手段１４０と、複数の交換レンズの名称と特性情報を記憶する記憶手段１４０と、制御手段１４０と、を備え、前記制御手段１４０は、前記画像処理を施された画像データと前記記憶手段１４０に記憶された複数の交換レンズの特性情報に基づいて、前記記憶手段１４０に記憶された複数の交換レンズの名称の中から一の交換レンズの名称を、前記画像処理を施された画像データに基づく画像とともに前記表示手段１２０に表示させる、ことを特徴とする。【選択図】図１
2011059642.tif 000002
【特許請求の範囲】
【請求項１】
画像データに基づく画像を表示する表示手段と、
前記画像データに施す効果を指定する効果指定手段と、
前記指定された効果に基づいて、前記画像データに画像処理を施す画像処理手段と、
複数の交換レンズの名称と特性情報を記憶する記憶手段と、
制御手段と、
を備え、
前記制御手段は、
前記画像処理を施された画像データと前記記憶手段に記憶された複数の交換レンズの特性情報に基づいて、前記記憶手段に記憶された複数の交換レンズの名称の中から一の交換レンズの名称を前記表示手段に表示させる、
ことを特徴とするカメラボディ。
【請求項２】
前記制御手段は、
前記画像処理を施された画像データに基づく画像を前記表示手段に表示させる、
ことを特徴とする請求項１に記載のカメラボディ。
【請求項３】
画像データに基づく画像を表示する表示手段と、
複数の交換レンズの名称と特性情報を記憶する記憶手段と、
前記記憶手段に記憶された複数の交換レンズの名称の中から一の交換レンズの名称を指定するレンズ指定手段と、
前記記憶手段に記憶された前記指定された名称の交換レンズに対応する特性情報に基づいて、前記画像データに画像処理を施す画像処理手段と、
制御手段と、
を備え、
前記制御手段は、
前記画像処理を施された画像データに基づく画像を前記表示手段に表示させる、
ことを特徴とするカメラボディ。
【請求項４】
前記制御手段は、
前記指定された交換レンズの名称を前記表示手段に表示させる、
ことを特徴とする請求項３に記載のカメラボディ。
【請求項５】
被写体を指定する被写体指定手段、
をさらに備え、
前記画像処理手段は、
前記画像データの前記指定された被写体以外の部分に画像処理を施す、
ことを特徴とする請求項１から請求項４のいずれかに記載のカメラボディ。
【請求項６】
交換レンズと通信するための通信手段、
をさらに備え、
前記制御手段は、
前記通信手段を介して交換レンズの名称と特性情報を受信し、前記記憶手段に記憶させる、
ことを特徴とする請求項１から請求項５のいずれかに記載のカメラボディ。
【請求項７】
前記特性情報は、
サンプル画像、ＭＴＦ曲線、最適シーン、ボケ形状の少なくとも一つを含む、
ことを特徴とする請求項１から請求項６のいずれかに記載のカメラボディ。
【請求項８】
名称と特性情報を記憶する記憶手段と、
カメラボディと通信するための通信手段と、
制御手段と、
を備え、
前記制御手段は、
前記通信手段を介して前記名称と特性情報をカメラボディに送信する、
ことを特徴とする交換レンズ。
【請求項９】
前記特性情報は、
サンプル画像、ＭＴＦ曲線、最適シーン、ボケ形状の少なくとも一つを含む、
ことを特徴とする請求項８に記載の交換レンズ。
【請求項１０】
請求項１から請求項７のいずれかに記載のカメラボディと、
請求項８または請求項９に記載の交換レンズと、
から構成される、
ことを特徴とするカメラシステム。
【発明の詳細な説明】
【技術分野】
【０００１】
本発明は、交換レンズを取り替えて使用することが可能なカメラシステム及び交換レンズ、カメラボディに関するものである。
【背景技術】
【０００２】
交換レンズを取り替えて使用することが可能なカメラシステムの楽しみの一つは、交換レンズを取り替えて撮影することにより、いろいろな被写体に対応できることである。しかしながら、使用者が自分の思い通りに撮影しようと思っても、どの交換レンズを用いれば、所望の撮影画像を得ることができるかどうかわからないので、特に初心者にとっては、ガイド機能が必要である。
【０００３】
特許文献１には、カメラ本体と撮影レンズと各種アクセサリとを自由に組み合わせると共に撮影条件を自由に設定させてその撮影条件で撮影したときに得られであろう画像を示すことによって、撮影条件を変化させることによる画像の変化を疑似体験させる撮影シミュレーションシステムが提案されている。
【先行技術文献】
【特許文献】
【０００４】
【特許文献１】特開２００３−１１４６０５号公報
【発明の概要】
【発明が解決しようとする課題】
【０００５】
しかしながら、特許文献１に記載の技術では、ユーザー端末コンピュータを、インターネットを経由してサーバーコンピュータに接続しなければならず、カメラシステムの使用者、特に初心者にとっては困難が伴う。
【０００６】
本発明は、前記課題を解決し、使用者が、思い通りの写真を撮るために、どのような交換レンズが必要かを容易に知ることができるカメラシステムを提供することを目的とする。
【課題を解決するための手段】
【０００７】
前記課題を解決するために、本発明のカメラボディは、画像データに基づく画像を表示する表示手段と、前記画像データに施す効果を指定する効果指定手段と、前記指定された効果に基づいて、前記画像データに画像処理を施す画像処理手段と、複数の交換レンズの名称と特性情報を記憶する記憶手段と、制御手段と、を備え、前記制御手段は、前記画像処理を施された画像データと前記記憶手段に記憶された複数の交換レンズの特性情報に基づいて、前記記憶手段に記憶された複数の交換レンズの名称の中から一の交換レンズの名称を、前記画像処理を施された画像データに基づく画像とともに前記表示手段に表示させる、ことを特徴とする。
【０００８】
また、本発明の交換レンズは、名称と特性情報を記憶する記憶手段と、カメラボディと通信するための通信手段と、制御手段と、を備え、前記制御手段は、前記通信手段を介して前記名称と特性情報をカメラボディに送信する、ことを特徴とする。
【０００９】
また、本発明のカメラシステムは、前記カメラボディと、前記交換レンズと、から構成される、ことを特徴とする。
【発明の効果】
【００１０】
以上のように、本発明によれば、思い通りの写真を撮るために、どのような交換レンズが必要かを知ることができるため、カメラシステムの利便性を高めることが可能となるという効果を奏する。
【図面の簡単な説明】
【００１１】
【図１】本発明の実施の形態１に係るカメラシステム１の構成を示すブロック図
【図２】カメラボディ１００の背面の操作部材を示す図
【図３】カメラシステム１の撮像準備動作を説明するための信号送受信を示す図
【図４】レンズアシストモード動作を説明するためのフローチャート
【図５】レンズアシストモード動作の際の液晶モニタ１２０に表示される操作状態表示を示す図
【図６】レンズアシミュレーション動作を説明するためのフローチャート
【図７】レンズシミュレーション動作の際の液晶モニタ１２０に表示される操作状態表示を示す図
【図８】レンズアシスト情報登録動作を説明するためのフローチャート
【図９】レンズアシスト情報登録動作の際の液晶モニタ１２０に表示される操作状態表示を示す図
【図１０】レンズアシスト情報登録動作を示す概念図
【発明を実施するための形態】
【００１２】
（実施の形態１）
１  構成
１−１  概要
図１は、本発明の実施の形態１に係るカメラシステム１の構成を示すブロック図である。カメラシステム１は、カメラボディ１００とそれに着脱可能な交換レンズ２００とから構成される。カメラシステム１は、カメラコントローラー１４０で保存されたレンズアシスト情報データに基づいて、画像に適した交換レンズの選択が可能である。本発明は、本実施の形態１のようなレンズ交換式のカメラシステムにおいて、被写体に最も適した撮影を行うことのできるレンズを選択するためになされた発明である。
１−２  カメラボディの構成
カメラボディ１００は、ＣＣＤイメージセンサー１１０と液晶モニタ１２０とカメラコントローラー１４０とボディマウント１５０と電源１６０とカードスロット１７０とを備える。
【００１３】
カメラコントローラー１４０は、レリーズ釦１３０等の操作部材からの指示に応じて、ＣＣＤイメージセンサー１１０等のカメラシステム１全体を制御する。カメラコントローラー１４０は、垂直同期信号をタイミング発生器１１２に送信する。カメラコントローラー１４０は、液晶モニタ１２０に、撮影画像や、メニュー画面等のＧＵＩを表示させる。カメラコントローラー１４０は、制御動作や画像処理動作の際に、ＤＲＡＭ１４１をワークメモリとして使用する。
【００１４】
ＣＣＤイメージセンサー１１０は、交換レンズ２００を介して入射される被写体像を撮像して画像データを生成する。生成された画像データは、ＡＤコンバーター１１１でデジタル化される。ＡＤコンバーター１１１でデジタル化された画像データは、カメラコントローラー１４０で様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ圧縮処理等である。
【００１５】
ＣＣＤイメージセンサー１１０は、タイミング発生器１１２で制御されるタイミングで動作する。ＣＣＤイメージセンサー１１０の動作としては、静止画像の撮像動作、スルー画像の撮像動作等である。ここで、スルー画像とは、撮像後、メモリカード１７１に記録しない画像である。スルー画像は、主に動画像であり、静止画像の撮像のための構図を決めるために液晶モニタ１２０に表示されるものである。
【００１６】
液晶モニタ１２０は、カメラコントローラー１４０で画像処理された表示用画像データが示す画像又は、メニュー等のＧＵＩを表示する。液晶モニタ１２０は、動画像も静止画像も選択的に表示可能である。
【００１７】
カードスロット１７０は、メモリカード１７１を装着可能である。カードスロット１７０は、カメラコントローラー１４０からの制御に基づいて、メモリカード１７１を制御する。メモリカード１７１は、カメラコントローラー１４０の画像処理により生成された画像データを格納可能である。例えば、メモリカード１７１は、ＪＰＥＧ画像ファイルを格納できる。また、メモリカード１７１は、内部に格納する画像データ又は画像ファイルを出力できる。メモリカード１７１から出力された画像データ又は画像ファイルは、カメラコントローラー１４０で画像処理される。例えば、カメラコントローラー１４０は、メモリカード１７１から取得した画像データ又は画像ファイルを伸張して表示用画像データを生成する。
【００１８】
電源１６０は、カメラシステム１で消費するための電力を供給する。電源１６０は、例えば、乾電池であってもよいし、充電池であってもよい。また、電源コードにより外部から供給される電力をカメラシステム１に供給するものであってもよい。
【００１９】
ボディマウント１５０は、交換レンズ２００のレンズマウント２５０と機械的及び電気的に接続可能である。ボディマウント１５０は、レンズマウント２５０を介して、交換レンズ２００との間で、データを送受信可能である。また、ボディマウント１５０は、カメラコントローラー１４０から受信した制御信号を、レンズマウント２５０を介してレンズコントローラー２４０に送信する。また、ボディマウント１５０は、レンズマウント２５０を介してレンズコントローラー２４０から受信した信号をカメラコントローラー１４０に送信する。また、ボディマウント１５０は、電源１６０から受けた電力を、レンズマウント２５０を介して交換レンズ２００全体に供給する。
１−３  交換レンズの構成
交換レンズ２００は、光学系とレンズコントローラー２４０とレンズマウント２５０とを備える。交換レンズ２００の光学系はズームレンズ２１０、ＯＩＳレンズ２２０、フォーカスレンズ２３０、絞り２６０を含む。
【００２０】
ズームレンズ２１０は、交換レンズ２００の光学系で形成される被写体像の倍率を変化させるためのレンズである。ズームレンズ２１０は、１枚又は複数枚のレンズで構成される。駆動機構２１１は、使用者が操作可能なズームリング等を含み、使用者による操作をズームレンズ２１０に伝え、ズームレンズ２１０を光学系の光軸方向に沿って移動させる。検出器２１２は、駆動機構２１１における駆動量を検出する。レンズコントローラー２４０は、この検出器２１２における検出結果を取得することにより、光学系におけるズーム倍率を把握することができる。
【００２１】
ＯＩＳレンズ２２０は、交換レンズ２００の光学系で形成される被写体像のぶれを補正するためのレンズである。ＯＩＳレンズ２２０は、カメラシステム１のぶれを相殺する方向に移動することにより、ＣＣＤイメージセンサー１１０上の被写体像のぶれを小さくする。ＯＩＳレンズ２２０は、１枚又は複数枚のレンズで構成される。アクチュエータ２２１は、ＯＩＳ用ＩＣ２２３からの制御を受けて、光学系の光軸に垂直な面内でＯＩＳレンズ２２０を駆動する。アクチュエータ２２１は、例えば、マグネットと平板コイルとで実現可能である。位置検出センサー２２２は、光学系の光軸に垂直な面内におけるＯＩＳレンズ２２０の位置を検出するセンサーである。位置検出センサー２２２は、例えば、マグネットとホール素子で実現可能である。ＯＩＳ用ＩＣ２２３は、位置検出センサー２２２の検出結果及びジャイロセンサー等のぶれ検出器の検出結果に基づいて、アクチュエータ２２１を制御する。ＯＩＳ用ＩＣ２２３は、レンズコントローラー２４０からぶれ検出器の検出結果を得る。また、ＯＩＳ用ＩＣ２２３は、レンズコントローラー２４０に対して、光学的像ぶれ補正処理の状態を示す信号を送信する。
【００２２】
フォーカスレンズ２３０は、光学系でＣＣＤイメージセンサー１１０上に形成される被写体像のフォーカス状態を変化させるためのレンズである。フォーカスレンズ２３０は、１枚又は複数枚のレンズで構成される。
【００２３】
フォーカスモータ２３３は、レンズコントローラー２４０の制御に基づいて、フォーカスレンズ２３０が光学系の光軸に沿って進退するよう駆動する。これにより、光学系でＣＣＤイメージセンサー１１０上に形成される被写体像のフォーカス状態を変化させることができる。
【００２４】
絞り２６０は、レンズコントローラー２４０の制御に基づいて、アクチュエータ２６１を通してレンズの光束を調整する。これにより、光学系でＣＣＤイメージセンサー１１０上に形成される被写体像の明るさ及び、ボケの状態を変化させることができる。
【００２５】
レンズコントローラー２４０は、カメラコントローラー１４０からの制御信号に基づいて、ＯＩＳ用ＩＣ２２３やフォーカスモータ２３３等の交換レンズ２００全体を制御する。また、検出器２１２、ＯＩＳ用ＩＣ２２３等から信号を受信して、カメラコントローラー１４０に送信する。レンズコントローラー２４０は、カメラコントローラー１４０との送受信の際には、レンズマウント２５０及びボディマウント１５０を介して行う。レンズコントローラー２４０は、制御の際、ＤＲＡＭ２４１をワークメモリとして使用する。また、フラッシュメモリ２４２は、レンズコントローラー２４０の制御の際に使用するプログラムやパラメータ及び、本発明で使用するレンズアシスト情報データを保存する。
１−４  背面操作部の構成
図２は、カメラシステム１の本発明の操作を行うために必要なカメラボディ１００の背面の操作部材を示す図である。カメラボディ１００の背面には、モード切替スイッチ１３１、ＭＥＮＵキー１３２、十字キー１３３、ＳＥＴキー１３４、液晶モニタ１２０を備える。
【００２６】
モード切替スイッチ１３１は、静止画撮影、動画撮影、画像再生等のモードの切替を行う。ＭＥＮＵキー１３２は、設定等の操作を液晶モニタ１２０に表示する等の場合に使用する。十字キー１３３は、項目の選択に使用する。ＳＥＴキー１３４は、項目の決定に使用する。
２  動作
２−１  撮像準備動作
まず、撮像準備のためのカメラシステム１の動作を説明する。図３は、カメラシステム１の撮像準備動作を説明するための信号送受信を示す図である。
【００２７】
カメラボディ１００に交換レンズ２００を装着した状態で、使用者が、カメラボディ１００の電源をＯＮすると、電源１６０は、ボディマウント１５０及びレンズマウント２５０を介して、交換レンズ２００に電力を供給する。次に、カメラコントローラー１４０は、レンズコントローラー２４０に対して、交換レンズ２００の認証情報を要求する。ここで、交換レンズ２００の認証情報には、交換レンズ２００が装着されているか否かに関する情報及びアクセサリーが装着されているか否かに関する情報が含まれる。レンズコントローラー２４０は、カメラコントローラー１４０からのレンズ認証要求に応答する。
【００２８】
次に、カメラコントローラー１４０は、レンズコントローラー２４０に対して、初期化動作をするよう要求する。これを受けて、レンズコントローラー２４０は、絞り２６０のリセット、ＯＩＳレンズ２２０のリセット等の初期化動作を行う。そして、レンズコントローラー２４０は、カメラコントローラー１４０に対して、レンズ初期化動作が完了した旨を返信する。
【００２９】
次に、カメラコントローラー１４０は、レンズコントローラー２４０に対して、レンズデータを要求する。レンズデータは、フラッシュメモリ２４２に格納されている。そこで、レンズコントローラー２４０は、フラッシュメモリ２４２からレンズデータを読み出して、カメラコントローラー１４０に返信する。ここで、レンズデータとは、レンズ名称、Ｆナンバー、焦点距離等の交換レンズ２００特有の特性値である。
【００３０】
カメラコントローラー１４０が、カメラボディ１００に装着されている交換レンズ２００のレンズデータを把握すると、撮像可能な状態になる。この状態では、カメラコントローラー１４０は、レンズコントローラー２４０に対して、交換レンズ２００の状態を示すレンズ状態データを定期的に要求する。レンズ状態データは、例えば、ズームレンズ２１０によるズーム倍率情報、フォーカスレンズ２３０の位置情報、絞り値情報等が含まれる。この要求に応えて、レンズコントローラー２４０は、カメラコントローラー１４０に対して、要求されたレンズ状態データを返信する。
【００３１】
レンズアシスト情報登録（後述）を行う際には、カメラコントローラー１４０は、レンズコントローラー２４０に対して、レンズアシスト情報データを要求する。レンズアシスト情報データは、画像データに適した交換レンズを探す際に必要なデータであり、例えば、サンプル画像、ＭＴＦ曲線、最適シーン、ボケ形状等が含まれる。この要求に応えて、レンズコントローラー２４０は、カメラコントローラー１４０に対して、要求されたレンズアシスト情報データを返信する。
２−２  レンズアシストモード動作
以上により、撮像準備が完了したカメラシステム１におけるレンズアシスト動作について、図４及び図５を用いて説明する。図４は、レンズアシストモード動作を説明するためのフローチャートである。図５は、レンズアシストモード動作の際の液晶モニタ１２０に表示される操作状態表示を示す図である。
【００３２】
カメラコントローラー１４０は、モード切替スイッチ１３１によって画像再生モードで動作しているとする。液晶モニタ１２０には、交換レンズ２００を用いて撮像された画像が表示されている。この状態で、ＭＥＮＵキー１３２を押すと、カメラコントローラー１４０は、図５（ａ）に示すように、液晶モニタ１２０にメニュー画面を表示する。ここで、レンズアシストモード動作を行うために、十字キー１３３によりレンズアシストモードを選択し、ＳＥＴキー１３４により、レンズアシスト動作を開始する。
【００３３】
次に、図５（ｂ）に示すように、液晶モニタ１２０にレンズによる効果の一覧が表示され、使用者は画像に対して行いたい効果を、一覧より十字キー１３３により選択し、ＳＥＴキー１３４により決定する。なお、本実施例では、レンズのボケを変化させる効果を選択した場合を記述している。
【００３４】
カメラコントローラー１４０は、画像より被写体となる候補を算出し、図５（ｃ）に示すように、液晶モニタ１２０に被写体選択画面を表示する。使用者はピントを合わせたい被写体を十字キー１３３により選択し、ＳＥＴキー１３４により決定する。被写体となる候補は、例えば、カメラボディ１００が顔認識機能を搭載している場合は認識された人間の顔、特定の色領域、特定の輝度領域、画像に含まれるエッジ解析により得られた領域等である。図５（ｃ）では、現在選択されている被写体（人間の顔）が実線で、現在選択されていない被写体（木）が破線で、それぞれ囲まれている。この状態でＳＥＴキー１３４を押すと、被写体として人間の顔が選択される。十字キー１３３を押すと、被写体として木を選択することもできる。
【００３５】
カメラコントローラー１４０は、選択された効果と被写体選択結果から画像に対して画像処理を行い、図５（ｄ）に示すように、液晶モニタ１２０に表示する。画像処理の例としては、被写体以外の領域を混合平均化処理によってボケさせたり、トリミング処理等によって拡大させたりする処理がある。本実施例では、レンズのボケを変化させる効果が選択されたので、被写体以外の領域を混合平均化処理によってボケさせる。図５（ｄ）では、選択されなかった被写体である木の色を薄くするとともに、二重線で囲むことで、被写体以外の領域が混合平均化処理によってボケさせられている状態を擬似的に示している。
【００３６】
なお、図５（ｂ）において、「ブレを取る」が選択された場合は、画像全体にシャープネスをかける画像処理等を行い、「歪みを取る」が選択された場合は、歪曲補正処理等を行い、「拡大する」が選択された場合は、トリミング処理等を行い、「全体にピントを合わせる」が選択された場合は、ピントが合っていない部分にシャープネスをかける画像処理等を行なう。
【００３７】
ここで、画像処理後の画像において、最適な交換レンズを探したい場合、ＭＥＮＵキー１３２を押すことによって最適な交換レンズを検索する処理に移行する。また、続けて効果を加えたい場合はＳＥＴキー１３４を押すと、効果の一覧（図５（ｂ））に移行する。ＳＥＴキー１３４を押すことで複数の効果を加えることができる。
【００３８】
カメラコントローラー１４０は、画像処理後の画像のボケ量、画角、コントラスト等の情報から、カメラコントローラー１４０内の記憶領域に保存されているレンズアシスト情報データの中から、最も撮影に適した交換レンズを選択し、図５（ｅ）に示すように、液晶モニタ１２０に交換レンズの名称を表示させる。図５（ｅ）において、「Ｆ２．０  ５０ｍｍ  ＯＩＳ  ｍａｃｒｏ」は選択された交換レンズの名称である。なお、ボケ量は画像の空間周波数データから、画角は現在装着されている交換レンズ２００の焦点距離とトリミング処理の情報から、コントラストは画像データから、それぞれ得ることができる。
【００３９】
なお、本実施の形態では、交換レンズ２００を用いて撮像された画像に対してレンズアシストモード動作を行うこととしたが、他の交換レンズを用いて撮像されメモリカード１７１に記録された画像に対してレンズアシストモード動作を行なってもよい。また、本実施の形態では、レンズアシスト情報データがカメラコントローラー１４０内の記憶領域に保存されているとしたが、これに限らない。例えば、カメラコントローラー１４０とは別のフラッシュメモリ等に保存されていてもよい。
【００４０】
これにより、使用者は、思い通りの写真を撮るために、どのような交換レンズが必要かを知ることができるため、カメラシステムの利便性を高めることが可能となる。
（実施の形態２）
上述したように、本実施の形態１では、使用者が画像に効果を加えてから、最適な交換レンズを検索する方法を用いた。これに対して、本実施の形態２では、使用者があらかじめ確認したい交換レンズを選択し、その交換レンズのレンズアシスト情報データから画像に効果を加える方法を用いる。なお、本発明の実施の形態２に係るカメラシステムは、実施の形態１に係るカメラシステム１と同様の構成であるため、図１に示すブロック図を用いて以下説明する。
【００４１】
カメラシステム１におけるレンズシミュレーション動作について、図６及び図７を用いて説明する。図６は、レンズシミュレーション動作を説明するためのフローチャートである。図７は、レンズシミュレーション動作の際の液晶モニタ１２０に表示される操作状態表示を示す図である。
【００４２】
カメラコントローラー１４０は、モード切替スイッチ１３１によって画像再生モードで動作しているとする。液晶モニタ１２０には、交換レンズ２００を用いて撮像された画像が表示されている。この状態で、ＭＥＮＵキー１３２を押すと、カメラコントローラー１４０は、図７（ａ）に示すように、液晶モニタ１２０にメニュー画面を表示する。ここで、レンズシミュレーション動作を行うために、十字キー１３３によりレンズシミュレーションを選択し、ＳＥＴキー１３４により、レンズシミュレーション動作を開始する。
【００４３】
次に、図７（ｂ）に示すように、液晶モニタ１２０にカメラコントローラー１４０の記憶領域にレンズアシスト情報データが保存されている交換レンズの一覧が表示され、使用者は確認したい交換レンズを、一覧より十字キー１３３により選択し、ＳＥＴキー１３４により決定する。カメラコントローラー１４０の記憶領域には、カメラボディ１００の出荷時に既に発売されている、あるいは今後発売される交換レンズのレンズアシスト情報データが保存されている。
【００４４】
カメラコントローラー１４０は、画像より被写体となる候補を算出し、図７（ｃ）に示すように、液晶モニタ１２０に被写体選択画面を表示する。ユーザーはピントを合わせたい被写体を十字キー１３３により選択し、ＳＥＴキー１３４により決定する。図７（ｃ）では、現在選択されている被写体（人間の顔）が実線で、現在選択されていない被写体（木）が破線で、それぞれ囲まれている。この状態でＳＥＴキー１３４を押すと、被写体として人間の顔が選択される。十字キー１３３を押すと、被写体として木を選択することもできる。
【００４５】
カメラコントローラー１４０は、選択された交換レンズのレンズアシスト情報データと被写体選択結果から画像に対して画像処理を行い、図７（ｄ）に示すように、液晶モニタ１２０に表示する。図７（ｄ）において、「Ｆ２．０  ５０ｍｍ  ＯＩＳ  ｍａｃｒｏ」は選択された交換レンズの名称である。
【００４６】
なお、本実施の形態では、交換レンズ２００を用いて撮像された画像に対してレンズアシストモード動作を行うこととしたが、他の交換レンズを用いて撮像されメモリカード１７１に記録された画像に対してレンズアシストモード動作を行なってもよい。また、本実施の形態では、レンズアシスト情報データがカメラコントローラー１４０内の記憶領域に保存されているとしたが、これに限らない。例えば、カメラコントローラー１４０とは別のフラッシュメモリ等に保存されていてもよい。
【００４７】
これにより、使用者は、交換レンズを交換した場合の、画角やボケ具合などのイメージを予め持つことができるため、カメラシステムの利便性を高めることが可能となる。
（実施の形態３）
本発明の実施の形態１及び２において使用するレンズアシスト情報データは、カメラコントローラー１４０の記憶領域に保存されているが、ここでは、交換レンズ２００内のフラッシュメモリ２４２に入っているレンズアシスト情報データを、カメラコントローラー１４０の記憶領域に保存する方法について記述する。なお、本発明の実施の形態３に係るカメラシステムは、実施の形態１に係るカメラシステム１と同様の構成であるため、図１に示すブロック図を用いて以下説明する。
【００４８】
カメラシステム１におけるレンズアシスト情報登録動作について、図８及び図９を用いて説明する。
【００４９】
図８は、レンズアシスト情報登録動作を説明するためのフローチャートである。図９は、レンズアシスト情報登録動作の際の液晶モニタ１２０に表示される操作状態表示を示す図である。
【００５０】
カメラコントローラー１４０は、モード切替スイッチ１３１によって画像再生モードで動作しているとする。この状態で、ＭＥＮＵキー１３２を押すとカメラコントローラー１４０は、図９（ａ）に示すように、液晶モニタ１２０にメニュー画面を表示する。ここで、レンズアシスト情報登録動作を行うために、十字キー１３３によりレンズアシスト情報登録を選択し、ＳＥＴキー１３４により、レンズアシスト情報登録動作を開始する。
【００５１】
次に、図９（ｂ）に示すように、液晶モニタ１２０に交換レンズ２００の名称とレンズアシスト情報の取得の確認をするメニューが表示され、ＳＥＴキー１３４により決定する。図９（ｂ）において、「Ｆ２．０  ５０ｍｍ  ＯＩＳ  ｍａｃｒｏ」はカメラボディ１００に装着されている交換レンズ２００の名称である。カメラコントローラー１４０は、レンズコントローラー２４０からレンズ名称を含むレンズデータを取得しているので、液晶モニタ１２０に交換レンズ２００の名称を表示することができる。
【００５２】
ここで、カメラコントローラー１４０は、レンズコントローラー２４０に対して、レンズアシスト情報データを要求する。この要求に応えて、レンズコントローラー２４０は、カメラコントローラー１４０に対して、要求されたレンズアシスト情報データを返信する。
【００５３】
カメラコントローラー１４０は、取得したレンズアシスト情報データを記憶領域内に保存する。図１０は、レンズアシスト情報登録動作を示す概念図である。図１０において、「交換レンズ記憶領域」は交換レンズ２００内のフラッシュメモリ２４２を示し、「カメラボディ記憶領域」はカメラコントローラー１４０内の記憶領域を示している。交換レンズ記憶領域には、自らのレンズアシスト情報データである「交換レンズＣレンズアシスト情報データ」が保存されている。一方、カメラボディ記憶領域には、既に「交換レンズＡレンズアシスト情報データ」と「交換レンズＢレンズアシスト情報データ」が保存されている。これらのレンズアシスト情報データは、カメラボディ１００の出荷時にカメラボディ記憶領域に保存されたものであってもよいし、ここで述べるレンズアシスト情報登録動作によって、カメラボディ記憶領域に新たに追加されたものであってもよい。いずれにしても、カメラボディ記憶領域には、交換レンズＣレンズアシスト情報データが新たに追加される。
【００５４】
また、図９（ｃ）に示すように、液晶モニタ１２０には、レンズアシスト情報データの表示を行うかどうかを確認するメニューが表示され、ＳＥＴキー１３４により決定される。レンズアシスト情報データの表示を行うことが決定されると、図９（ｄ）に示すように、液晶モニタ１２０にはサンプル画像、ＭＴＦ曲線、ボケ形状などのレンズアシスト情報データの表示が行われる。
【００５５】
なお、本実施の形態では、レンズアシスト情報データがカメラコントローラー１４０内の記憶領域に保存されるとしたが、これに限らない。例えば、カメラコントローラー１４０とは別のフラッシュメモリ等に保存されるようにしてもよい。
【００５６】
これにより、カメラボディ１００がレンズアシスト情報データを持っていない交換レンズ２００が装着されても、レンズアシストモード動作や、レンズシミュレーション動作を行うことができるため、カメラシステムの相互互換性を高めることが可能となる。
【産業上の利用可能性】
【００５７】
本発明によれば、思い通りの写真を撮るために、どのような交換レンズが必要かを知ることができるため、交換レンズを取り替えて使用することが可能なカメラシステム及び交換レンズ、カメラボディに適用して有用である。
【符号の説明】
【００５８】
１００    カメラボディ
１１０    ＣＣＤイメージセンサー
１１１    ＡＤコンバーター
１１２    タイミング発生器
１２０    液晶モニタ
１３０    レリーズ釦
１４０    カメラコントローラー
１４１    ＤＲＡＭ
１５０    ボディマウント
１６０    電源
１７０    カードスロット
１７１    メモリカード
２００    交換レンズ
２１０    ズームレンズ
２１１    駆動機構
２１２    検出器
２２０    ＯＩＳレンズ
２２１    アクチュエータ
２２２    位置検出センサー
２２３    ＯＩＳ用ＩＣ
２３０    フォーカスレンズ
２３３    フォーカスモータ
２４０    レンズコントローラー
２４１    ＤＲＡＭ
２４２    フラッシュメモリ
２５０    レンズマウント
２６０    絞り
２６１    アクチュエータ
【図１】
2011059642.tif 000003
【図２】
2011059642.tif 000004
【図３】
2011059642.tif 000005
【図４】
2011059642.tif 000006
【図５】
2011059642.tif 000007
【図６】
2011059642.tif 000008
【図７】
2011059642.tif 000009
【図８】
2011059642.tif 000010
【図９】
2011059642.tif 000011
【図１０】
2011059642.tif 000012